(57)【特許請求の範囲】
【請求項１】
磁気記録層を有する写真フイルムの画像領域以外にフイルム製造時又は撮影時に光学的に光学情報を記録するとともに、撮影時にカメラで前記磁気記録層に磁気情報を記録し、
ラボでは、前記フイルムを現像処理したのち前記光学情報を読み取るとともに、前記フイルムの磁気記録層に記録されている磁気情報を読み取り、この読み取った光学情報及び磁気情報の全ての情報を磁気情報として該フイルムの磁気記録層に記録されている磁気情報に代えて前記カメラよりも高精度で再書き込みを行い、
フイルムプレーヤでは、前記ラボから返却されたフイルムの画像を読み取るとともに該フイルムの磁気記録層から磁気情報を読み取り、この読み取った磁気情報に応じたフイルム画像の再生を行うことを特徴とする写真フイルムの情報記録再生方法。
【発明の詳細な説明】
【０００１】
【産業上の利用分野】
本発明は写真フイルムの情報記録再生方法に係り、特に磁気記録層がコーティングされた写真フイルムに対してラボやフイルムプレーヤで行われる写真フイルムの情報記録再生方法に関する。
【０００２】
【従来の技術】
従来、ラボでプリント処理する際に、フイルムに光学的に記録された光学情報（コマ画像のアスペクト比を示すプリントフォーマット、撮影時の露出，光源情報等の撮影条件、日付け等を示すバーコード）を読み取り、その情報にしたがってプリント条件を設定する方法が提案されている（特開平５−４５７１８号公報）。
【０００３】
一方、カメラでの撮影条件やユーザーのラボへの指示事項等の情報を、撮影時にカメラによって写真フイルム上の磁気記録層に記録し、ラボでは、この磁気情報を読み取ってプリント処理に利用するとともに、信頼性向上のために前記読み取った磁気情報を書き直す方法が提案されている（特開平５−８０４３３号公報）。尚、ラボによって書き直された磁気情報は、プリントの再注文時に、或いはフイルムプレーヤによってフイルム画像をモニタＴＶに表示させる際に確実に読み取ることができる。
【０００４】
【発明が解決しようとする課題】
ところで、写真フイルムに光学情報と磁気情報とが記録されていると、これらの情報をフイルム画像の再生条件として使用するフイルムプレーヤは、光学情報読取部と磁気記録再生部とを具備しなければならず、高価になるという問題がある。
【０００５】
本発明はこのような事情に鑑みてなされたもので、フイルムプレーヤから光学情報読取部を削除して機器構成の簡略化及び低コスト化を図ることができるとともに、光学情報読取部を具備するフイルムプレーヤと同等の機能をもたせることができる写真フイルムの情報記録再生方法を提供することを目的とする。
【０００６】
【課題を解決するための手段】
本発明は前記目的を達成するために、磁気記録層を有する写真フイルムの画像領域以外にフイルム製造時又は撮影時に光学的に光学情報を記録するとともに、撮影時にカメラで前記磁気記録層に磁気情報を記録し、ラボでは、前記フイルムを現像処理したのち前記光学情報を読み取るとともに、前記フイルムの磁気記録層に記録されている磁気情報を読み取り、この読み取った光学情報及び磁気情報の全ての情報を磁気情報として該フイルムの磁気記録層に記録されている磁気情報に代えて前記カメラよりも高精度で再書き込みを行い、フイルムプレーヤでは、前記ラボから返却されたフイルムの画像を読み取るとともに該フイルムの磁気記録層から磁気情報を読み取り、この読み取った磁気情報に応じたフイルム画像の再生を行うことを特徴としている。
【０００７】
【作用】
本発明によれば、フイルムプレーヤで使用する光学情報を含む全ての情報を磁気情報から得られるようにしている。即ち、写真フイルムの画像領域以外に、例えばフイルムの種類、コマ数、コマ番号、フイルムフォーマット等を示す光学情報を光学的に記録することが考えられるが、ラボでは、光学情報が記録されたフイルムを現像処理した後その光学情報を読み取り、この読み取った光学情報を磁気情報として該フイルムの磁気記録層に転記するようにしている。従って、フイルムプレーヤは、前記ラボから返却されたフイルムの磁気記録層から磁気情報を読み取ることにより、光学情報を含む全ての情報を磁気情報から得ることができ、フイルムプレーヤから光学情報読取部を削除することができる。
【０００８】
【実施例】
以下添付図面に従って本発明に係る写真フイルムの情報記録再生方法の好ましい実施例を詳説する。
図１は本発明に係る写真フイルムの情報記録再生方法が適用されるラボの焼付け装置を示す概略構成図である。同図に示すように、この装置は、光源装置１１、投影位置で現像処理後の写真フイルム１を保持するネガキャリア１７、ズームレンズ１８、シャッタ１９、カラー印画紙２０の前側に配置されてプリント領域を制限するマスク２１、ペーパープロセッサ部２２、制御部２７、情報記録再生部３６等から構成されている。
【０００９】
光源装置１１は、光源１２と、フイルタ調節部２８による位置調節により光路中への挿入量がそれぞれ調節できるイエローフイルタ１３、マゼンタフイルタ１４、シアンフイルタ１５、ミラーボックス１６からなり、これらの調光フイルタ１３〜１５により光源１２からの光の３色光の割合及び強度が調節され、その焼付け光は、ミラーボックス１６によりミキシングされてからプリント位置にセットされたフイルム１を照明するようになっている。
【００１０】
フイルム１からの透過拡散光は、シャッタ１９が開いている間、ズームレンズ１８によりカラー印画紙２０上に投影され、焼付け露光される。露光されたカラー印画紙２０は、ペーパープロセッサ部２２で現像、定着、乾燥、切断処理されてプリント受け２３に排出される。
フイルタ１３〜１５の挿入量の制御は、受光器２４によりフイルム１を透過拡散した光が色毎に測光され、特性値算出部２５でそのコマのＲ，Ｇ，Ｂ濃度等が算出され、露光量演算部２６でカラー印画紙２０上で各色毎に一定の露光量となるような露光量が算出される。そして、この算出された露光量になるように制御部２７を介してフイルタ調節部２８によりフイルタ１３〜１５の挿入量が制御される。
【００１１】
シャッタ１９は、制御部２７からの制御信号によりシャッタ駆動部２９を介して動作する。また、ペーパープロセッサ部２２の動作も制御部２７からの信号により制御される。そして、制御部２７は、中央処理装置（ＣＰＵ）３０、リード・オンリー・メモリ（ＲＯＭ）３１、ランダム・アクセス・メモリ（ＲＡＭ）３２、入出力インターフェース３３からなり、キーボード３４、ディスプレイ３５が付属している。尚、以上の構成は、焼付け装置として周知であるため、その詳細な説明は省略する。
【００１２】
さて、前記フイルム１には、図３に示すように各コマの位置を示すパーフォレーション１Ａが穿設されるとともに、フイルム全面又はフイルム縁部に磁気記録層１Ｂが形成されており、この磁気記録層１Ｂには、磁気ヘッドを有するカメラによってコマ毎の撮影条件、ハイビジョン画像、パノラマ画像及び通常画像等のアスペクト比を示すプリントフォーマット、撮影日時、写し込まれる画像の天地左右、被写体距離、１画面内における主要被写体の位置等を示す磁気情報が記録されている。
【００１３】
また、前記フイルム１の被写体光によって露光される画像領域以外には、フイルムカートリッジ１１０の出荷前にフイルムＩＤ番号、コマ数、フイルムの種類、コマ番号等を示す光学情報が例えばバーコードで記録され、また、撮影時には、カメラ内蔵の光源によってプリントフォーマット、撮影条件等の光学情報が所定の記録フォーマットで、前記バーコードと重ならない位置に光学的に記録されている。従って、このフイルム１には、被写体光によって露光される画像情報の他に、磁気情報及び光学情報が記録される。
【００１４】
図１に示した情報記録再生部３６は、フイルム１に記録された磁気情報及び光学情報を読み取るとともに磁気情報を再記録するもので、再生ヘッド３６Ａ、記録ヘッド３６Ｂ、光学情報読取センサ３６Ｃ、パーフォレーションセンサ３８Ｂ等を有している。再生ヘッド３６Ａは、フイルム１に記録された磁気情報を読み取り、光学情報読取センサ３６Ｃはフイルム１に記録された光学情報を読み取り、これらの読み取った情報は、制御部２７の入出力インターフェース３３、ＣＰＵ３０を経てＲＡＭ３２に記憶される。
【００１５】
制御部２７は、ＲＡＭ３２に記憶した磁気情報及び光学情報を読み出し、それぞれ磁気情報として記録ヘッド３６Ｂを介してフイルム１の磁気記録層１Ｂに再書き込みを行う。これにより、カメラでの磁気記録精度が低くても高精度に読み取って高精度に書き込むことができ、また、光学情報も磁気情報として転記されるため、全ての情報は磁気情報から得ることができるようになる。尚、制御部２７は、フイルム１のパーフォレーション１Ａを光学的に検出するパーフォレーションセンサ３８Ａからの検出信号に基づいて各コマに対応した磁気情報を記録ヘッド３６Ｂに出力するようにしている。
【００１６】
図２は本発明に係る写真フイルムの情報記録再生方法が適用されるフイルムプレーヤを含むシステム全体の概略構成を示す斜視図である。同図に示すように、フイルムプレーヤ１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これよりフイルムカートリッジ１１０の収納または取出しが行われる。
【００１７】
フイルムプレーヤ１００にはキーパッド１２０及びモニタＴＶ１０９が接続され、キーパッド１２０からは信号ケーブル１０６を介してフイルムプレーヤ１００を制御するための各種の操作信号がフイルムプレーヤ１００に出力され、フイルムプレーヤ１００からは信号ケーブル１０８を介して映像信号がモニタＴＶ１０９に出力される。尚、キーパッド１２０によるフイルムプレーヤ１００の制御の詳細については後述する。
【００１８】
フイルムカートリッジ１１０は、前述したラボから返却されたもので、図３に示すように単一のスプール１１２に現像処理された写真フイルム１が巻回されている。また、フイルム１の磁気記録層１Ｂには、カメラ等によって記録された磁気情報及び光学情報がラボによって全て磁気情報として再記録されている。
図４は上記フイルムプレーヤ１００の内部構成の一実施例を示すブロック図である。このフイルムプレーヤ１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、ＣＰＵ１６０、フイルム駆動メカ１７０、磁気記録再生装置１８２等を備えている。
【００１９】
光源１３０は、例えばフイルム１の給送方向と直交する方向に長い蛍光灯からなり、赤外カットフィルタ１３２を介してフイルム１を照明する。フイルム１を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１はフイルム駆動メカ１７０によって一定速度で矢印Ａ方向（以下、順方向という）又は矢印Ｂ方向（以下、逆方向という）に移動させられるが、このフイルム駆動の詳細については後述する。
【００２０】
ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
【００２１】
尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施例では標準のフイルム画像を取り込む時の給送速度の１／２倍、１倍、８倍、１６倍の各速度における画素数は、１７９２画素、８９６画素、１１２画素、５６画素である。
【００２２】
このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
【００２３】
第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
【００２４】
第２信号処理回路１５２はマトリクス回路を有し、入力するＲ，Ｇ，Ｂ信号に基づいて輝度信号Ｙ及びクロマ信号Ｃｒ／ｂ  を生成し、これらをメモリ制御回路１５４に出力する。
メモリ制御回路１５４は、上記輝度信号Ｙ及びクロマ信号Ｃｒ／ｂ  のＣＣＤバッファＭ１への書込み／読出しを制御するとともに、ＣＣＤバッファＭ１に記憶された輝度信号Ｙ及びクロマ信号Ｃｒ／ｂ  の表示バッファＭ２への書込み／読出しを制御する。尚、ＣＣＤバッファＭ１及び表示バッファＭ２への書込み／読出し制御の詳細については後述する。
【００２５】
メモリ制御回路１５４によって表示バッファＭ２から読み出される輝度信号Ｙ及びクロマ信号Ｃｒ／ｂ  は、第３信号処理回路１５３に加えられる。第３信号処理回路１５３は、入力する輝度信号Ｙ及びクロマ信号Ｃｒ／ｂ  に基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５６及びＤ／Ａコンバータ１５６には同期信号発生回路１５９から所定周期の同期信号がそれぞれ加えられており、これにより各回路の同期がとられるとともに所要の同期信号を含む映像信号が得られるようにしている。また、ＣＣＤ回路ユニット１４０、Ａ／Ｄコンバータ１５０、第１信号処理回路１５１、第２信号処理回路１５２及びメモリ制御回路１５４にはＣＰＵ１６０によって制御されるタイミング信号発生回路１６２からタイミング信号がそれぞれ加えられており、これにより各回路の同期がとられている。
【００２６】
フイルム駆動メカ１７０は、フイルムカートリッジ１１０のスプール１１２と係合し、そのスプール１１２を正転／逆転駆動するフイルム供給部と、このフイルム供給部から送出されるフイルム１を巻き取るフイルム巻取部と、フイルム搬送路に配設され、フイルム１をキャプスタンとピンチローラとで挟持してフイルム１を一定速度で送る手段とから構成されている。尚、上記フイルム供給部は、フイルムカートリッジ１１０のスプール１１２を図４上で時計回り方向に駆動し、フイルム先端がフイルム巻取部によって巻き取られるまでフイルムカートリッジ１１０からフイルム１を送り出すようにしている。
【００２７】
磁気記録再生装置１８２は磁気ヘッド１８２Ａを含み、磁気ヘッド１８２Ａを介してフイルム１の磁気記録層１Ｂに記録されている磁気情報を読み取り、その磁気情報を処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１の磁気記録層１Ｂに記録する。
【００２８】
次に、上記構成のフイルムプレーヤ１００の作用について、図５に示すフローチャートを参照しながら説明する。
先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１を送り出し、フイルム先端をフイルム巻取部の巻取軸に巻き付ける。
【００２９】
フイルムローディングが完了すると、フイルム１の第１のプリスキャンを実行する。即ち、図６に示すようにフイルム１を１４８．０ｍｍ／秒の高速で順方向に給送する。この第１のプリスキャン時には、ＣＣＤラインセンサ１４２を介して画像データが取り込まれるとともに、磁気記録再生装置１８２を介して磁気情報が読み取られる。
【００３０】
次に、上記第１のプリスキャン時に取り込んだ画像データに基づく処理について説明する。
ＣＰＵ１６０は、図４に示すＡ／Ｄコンバータ１５０から点順次のＲ，Ｇ，Ｂ信号を入力する。ＣＰＵ１６０は、全コマのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをコマ毎にＣＰＵ内蔵のＲＡＭ１６０Ａに記憶する。また、各コマのＲ，Ｇ，Ｂ信号から各コマの明るさを示すＡＥデータをＲＡＭ１６０Ａに記憶する。尚、ＣＰＵ１６０は、磁気記録再生装置１８２を介して加えられる磁気情報に基づいてフイルム１の各コマを検知することができ、また、各コマをカウントすることによりコマ番号も検知することができる。
【００３１】
次に、フイルム１の第２のプリスキャンを実行する。即ち、図６に示すようにフイルム１を７４・０ｍｍ／秒の高速で逆方向に巻き戻す。この第２のプリスキャン時には、再びＣＣＤラインセンサ１４２を介して画像データが取り込まれる。この画像データの取込み時には、ＣＰＵ１６０は、ＲＡＭ１６０Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
【００３２】
また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
【００３３】
上記ＡＥ／ＡＷＢデータ等に基づいて各コマの画像データを調整しているため、各コマの撮影条件にかかわらず、良好な画像データを取り込むことができる。
このようにして調整された各コマの画像データ、即ち、第２信号処理回路１５２から出力される輝度信号Ｙ及びクロマ信号Ｃｒ／ｂ  は、メモリ制御回路１５４を介してＣＣＤバッファＭ１に順次記憶される。
【００３４】
尚、前述したように標準のフイルム画像を取り込む時の給送速度の８倍の速度でフイルム１が給送されるため、図７（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、ＣＣＤバッファＭ１は、図７（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データが記憶されることになる。
【００３５】
表示バッファＭ２は、図７（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図７（Ｂ）、（Ｃ）参照）。
【００３６】
さて、ＣＣＤバッファＭ１には、図７（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶れると、隣の２０コマ分の記憶領域に同様にして記憶される。
【００３７】
ＣＣＤバッファＭ１への上記記憶動作中にも、ＣＣＤバッファＭ１の記憶内容は表示バッファＭ２に転送される。
表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがＣＣＤバッファＭ１に記憶されると、モニタＴＶ１０９には再びコマ番号１〜２０までのインデックス画像が表示されるように下方向にスクロール又は画面が切り替えられる。
【００３８】
ところで、ＣＰＵ１６０は、上記スキャン時における各コマの画像データの読取り順に各コマに対してコマ番号を１、２、…とし、各コマのコマ番号を示すキャラクター信号を出力することにより、図８に示すようにコマ番号がスーパーインポーズされたインデックス画像を表示させるようにしている。
上記のようにしてインデックス画像の作成が行われ、インデックス画像がモニタＴＶ１０９に表示されると、続いてインデックス画像を見ながらキーパッド１２０を使用し、モニタＴＶ１０９に所望のフイルム画像を再生させるために必要な各種の情報（以下、自動再生情報という）の入力を行う（ステップ２０４）。
【００３９】
ところで、上記自動再生情報には、例えば、以下の情報がある。
0003568131.tif 000002
0003568131.tif 000003
上記各情報は、図２に示したキーパッド１２０を操作しながらオンスクリーン対話方式で入力することができる。
【００４０】
即ち、キーパッド１２０は、図２に示すように上下左右の各キー１２１〜１２４、「ＵＰ」キー１２５、「ＤＯＵＮ」キー１２６、「Ｅｘｅｃｕｔｅ」キー１２７、「Ｃａｎｃｅｌ  」キー１２８の８キーから構成されている。
ＣＰＵ１６０は、図８に示すように２０コマ分のインデックス画像とともに各種の設定メニューを示す文字をモニタＴＶ１０９に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
【００４１】
上記メニューの選択は、キーパッド１２０の「ＵＰ」，「ＤＯＵＮ」キー１２５、１２６を使用して実行したいメニューの位置にカーソル（他のメニューと色を変えて区別する）を移動させ、「Ｅｘｅｃｕｔｅ」キー１２７を押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１２０の上下左右のキー１２１〜１２４を操作することによって行うことができる。
【００４２】
いま、図８に示すように「ＳＫＰＳ」にカーソルを合わせて「Ｅｘｅｃｕｔｅ」キー１２７を押すと、スキップ設定メニューとなる。
このスキップ設定メニューにおいて、例えばコマ番号１のコマを非表示コマとして設定する場合には、編集対象のコマとしてコマ番号１のコマを選択し、「ＵＰ」キー１２５を押す。これにより、コマ番号１のコマ内には「ＳＫＩＰ」の文字が表示される。そして、「Ｅｘｅｃｕｔｅ」キー１２７を押すと、表示バッファＭ２のコマ番号１に対応する記憶領域はクリア色で塗りつぶされるとともに、非表示コマのコマ番号１を示すデータがＣＰＵ１６０のＲＡＭ１６０Ａに記憶される。尚、ＣＣＤバッファＭ１上では画像データはそのままの状態になっているため、「ＤＯＷＮ」キー１２６を押し、コマ番号１のコマ内に「ＶＩＥＷ」の文字を表示したのち、「Ｅｘｅｃｕｔｅ」キー１２７を押すと、表示バッファＭ２のコマ番号１に対応する記憶領域にはコマ番号１に対応する画像データがＣＣＤバッファＭ１から転送され、これによりコマ表示が行われるとともに、ＲＡＭ１６０Ａに記憶された非表示コマのコマ番号１を示すデータがクリアされる。このようにして、表示／非表示コマの設定が行われる。尚、「Ｃａｎｃｅｌ  」キー１２８によって設定内容をキャンセルすることもできる。
【００４３】
次に、コマの縦横（天地左右）を切り替える場合について説明する。
この場合には、図９に示すように「ＲＯＴＳ」にカーソルを合わせて「Ｅｘｅｃｕｔｅ」キー１２７を押し、縦横設定メニューにする。
縦横設定メニューが選択されると、図９に示すように編集対象のコマのコマ番号がブリンク表示されるとともに、そのコマの画像中に天地方向を示す矢印↑が表示される。この状態から「ＵＰ」キー１２５を押すと、ワンプッシュする毎に矢印の方向が９０度ずつ時計回り方向に回転し、「ＤＯＷＮ」キー１２６を押すと、ワンプッシュする毎に矢印の方向が９０度ずつ反時計回り方向に回転する。このようにして、矢印によって天地方向を選択したのち、「Ｅｘｅｃｕｔｅ」キー１２７を押すと、表示バッファＭ２の対象コマの記憶領域の画像データは、前記選択された天地方向に応じて回転させられる。尚、図８に示したように１コマの縦と横の画素数が異なるため、横から縦に回転させる場合には画像を縮小し、縦から横に回転させる場合には画像を拡大する。
【００４４】
次に、各コマのプリント枚数を設定する場合について説明する。
この場合には、図１０に示すように「ＰＳＥＴ」にカーソルを合わせて「Ｅｘｅｃｕｔｅ」キー１２７を押し、プリント枚数設定メニューにする。
プリント枚数設定メニューが選択されると、図１０に示すように編集対象のコマのコマ番号がブリンク表示されるとともに、そのコマの画像中にプリント枚数が表示される。このプリント枚数は、そのコマの画像中に予め０が表示されるようになっており、この状態から「ＵＰ」キー１２５を押すと、ワンプッシュする毎に数字が１ずつ増加し、「ＤＯＷＮ」キー１２６を押すと、ワンプッシュする毎に数字が１ずつ減少する。このようにして、プリント枚数を選択したのち、「Ｅｘｅｃｕｔｅ」キー１２７を押すと、その表示されたプリント枚数が設定され、ＣＰＵ１６０のＲＡＭ１６０Ａに格納される。
【００４５】
また、画像の縦横比に対応するハイビジョン、パノラマ、通常等のプリントフォーマット指定も各コマ毎に行うことができる。この場合、フォーマット指定に応じてインデックス画像のコマの縦横比を変更すれば、いずれのフォーマットが指定されたかをインデックス画像上で視認することができる。
更に、あるコマから次のコマに表示を切り替える場合のコマ切替方法も指定することができる。例えば、あるコマから次のコマに表示を切り替える場合に、表示画面を瞬時に切り替えるコマ切替方法の他に、画面をスクロールさせて切り替えるコマ切替方法、フェードアウト／フェードインで切り替えるコマ切替方法等の指定をインデックス画像を見ながら行うことができる。
【００４６】
上記のようにしてインデックス画像を見ながら編集を行ったのち、「ＥＮＤ」にカーソルを合わせて「Ｅｘｅｃｕｔｅ」キー１２７を押すと、インデックス画像を用いた編集が終了する。
インデックス画像による編集が終了すると、続いてステップ２０６（図５）において各コマ毎の編集を行うか否かが選択される。この選択もモニタＴＶ１０９の画面を見ながらキーパッド１２０を操作することによって行うことができる。
【００４７】
次に、各コマ毎の編集を行う場合について説明する。
この場合には、先ず表示コマ番号を１にセットし（ステップ２０８）、続いて図６に示すようにフイルム１を９．２５ｍｍ／秒で順方向に１コマ分給送して、コマ番号１のコマのスキャン（本スキャン）を行う（ステップ２１０）。この本スキャン時にＣＣＤラインセンサ１４２を介して画像データがＣＣＤバッファＭ１に取り込まれる。
【００４８】
この画像データの取込み時には、ＣＰＵ１６０は、ＲＡＭ１６０Ａに記憶したＡＥデータ、ＡＷＢデータ等に基づいて各コマの画像データを調整しているため、各コマの撮影条件にかかわらず、良好な画像データを取り込むことができる。また、このようにしてＣＣＤバッファＭ１に取り込まれる１コマ分の画素数は、図７（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
【００４９】
上記のようにしてＣＣＤバッファＭ１に取り込まれた１コマ分の画像データは、表示バッファＭ２に転送され、この表示バッファＭ２の記憶内容が繰り返し読み出されことによりモニタＴＶ１０９に１コマの画像が表示される。尚、１コマ再生メニュー設定モード時には、図１１に示すようにコマ番号がモニタＴＶ１０９の画面左上に表示され、１コマの編集に必要な設定メニュー等を示す文字がモニタＴＶ１０９の画面右側に表示される。尚、「ＦＷＤ」は次のコマ再生を示し、「ＲＥＶ」は前のコマ再生を示し、「ＲＳＴ」は各種設定をリセットし、再スキャンを行うこと示し、「ＺＯＯＭ」はズーム設定を示し、「ＭＡＳＫ」はマスク設定を示し、「ＲＯＴ」はコマの縦横の設定を示し、「ＳＥＴ」はプリント枚数等の設定を示し、「ＩＤＸ」は前述したインデックス画像の表示を示し、「ＥＮＶ」はインターバル時間や背景色等の環境設定を示し、「ＥＮＤ」は１コマの画像を用いた編集の終了を示す。
【００５０】
上記メニューの選択は、前述したインデックス画像を用いた編集時と同様にキーパッド１２０の「ＵＰ」，「ＤＯＵＮ」キー１２５、１２６を使用して実行したいメニューの位置にカーソルを移動させ、「Ｅｘｅｃｕｔｅ」キー１２７を押すことによって行われる。
いま、「ＺＯＯＭ」にカーソルを合わせて「Ｅｘｅｃｕｔｅ」キー１２７を押すと、ズーム設定メニューとなる（ステップ２１２）。このズーム設定メニューにおいて、キーパッド１２０の上下左右のキー１２１〜１２４を操作することによりポインタを適宜移動させ、ズーム中心を指示する。そして、「ＵＰ」キー１２５又は「ＤＯＷＮ」キー１２６を押すことにより、電子ズームによるズームアップ又はズームアウトを行う。このようにして所望のズーミングを行ったのち、「Ｅｘｅｃｕｔｅ」キー１２７を押すと、ズーム設定が確定し、ＣＰＵ１６０のＲＡＭ１６０Ａに記憶される（ステップ２１４）。尚、フイルム画像入力装置１００と接続されるビデオプリンタ（図示せず）でプリントする場合には、プリンタ側からのプリント指示によって行われる（ステップ２１６）。
【００５１】
また、上記電子ズームでは、例えば０．５〜１．５倍の範囲のズーミングができるものとする。そして、電子ズームによる倍率が１．５となり、更に「ＵＰ」キー１２５によるズームアップが指示されると、低速の本スキャンを行う。この場合、フイルム１を４．６３ｍｍ／秒（通常の本スキャンの速度の１／２）で順方向に給送するとともに、ＣＣＤラインセンサ１４２のＣＣＤ出力を間引かずに、前記指定されたズーム中心を基準にして取り込む。これにより、通常の本スキャン時に比べて２倍にズーミングされた画像データが取り込まれるとになる。この画像データに対して、電子ズームをかけることにより、最大３倍までズーミングすることができるようになる。
【００５２】
更に、キーパッド１２０を用いながら、コマ画像に重ねて表示するタイトルを入力することができ（ステップ２１８、２２０）、そのタイトルを示す文字データはＣＰＵ１６０のＲＡＭ１６０Ａに格納され、また、「ＭＡＳＫ」にカーソルを合わせて「Ｅｘｅｃｕｔｅ」キー１２７を押すことにより、枠付け設定メニューにすることができ、キーパッド１２０を用いながら表示コマの周囲に設ける枠の大きさや位置を入力することができる（ステップ２２４、２２６）。尚、これらの入力確定後、ステップ２１６と同様にビデオプリンタによるプリントが可能となる（ステップ２２２、２２８）。
次に、表示コマのプリント枚数等を設定する場合について説明する。
【００５３】
この場合には、「ＳＥＴ」にカーソルを合わせて「Ｅｘｅｃｕｔｅ」キー１２７を押し、プリント枚数設定メニューにする（ステップ２３０、２３２）。
即ち、プリント枚数設定メニューが選択されると、図１２に示すようにそのコマの画像の左上に「ＳＥＴ」が表示されるとともに、３つの対象項目「ＰＲＩＮＴ  ０」，「ＤＡＴＥ  ＯＮ」，「ＰＬＡＹ  ＶＩＥＷ」が表示される。これらの対象項目は、上・下キー１２１、１２２を操作することにより選択され、選択された対象項目はブリンク表示される。「ＰＲＩＮＴ  ０」を選択すると、「ＵＰ」キー１２５、「ＤＯＵＮ」キー１２６によってプリント枚数を指定することができ、「ＤＡＴＥ  ＯＮ」を選択すると、「ＵＰ」キー１２５、「ＤＯＵＮ」キー１２６によって撮影日時をプリントするか否か（ＯＮ／ＯＦＦ）を指定することができ、「ＰＬＡＹ  ＶＩＥＷ」を選択すると、「ＵＰ」キー１２５、「ＤＯＵＮ」キー１２６によってコマの表示／非表示（ＶＩＥＷ／ＳＫＩＰ）を指定することができる。このようにしてプリント枚数等を指定したのち、「Ｅｘｅｃｕｔｅ」キー１２７を押すと、その表示されたプリント枚数等が設定され、ＣＰＵ１６０のＲＡＭ１６０Ａに格納される。尚、インデックス画像で設定したプリント枚数と、１コマ設定メニューで設定したプリント枚数とが異なる場合には、例えば１コマ設定メニューで設定したプリント枚数が優先される。
【００５４】
次に、表示コマのインターバル時間等を設定する場合について説明する。
この場合には、「ＥＮＶ」にカーソルを合わせて「Ｅｘｅｃｕｔｅ」キー１２７を押し、環境設定メニューにする。
環境設定メニューが選択されると、画像はミュートとされ、図１３に示すように「ＩＮＴＥＲＶＡＬ  ＴＩＭＥ：１０」，「ＢＡＣＫ  ＣＯＬＯＲ：ＢＬＡＣＫ」の文字のみが表示される。これらの対象項目は、上・下キー１２１、１２２を操作することにより選択され、選択された対象項目はブリンク表示される。「ＩＮＴＥＲＶＡＬ  ＴＩＭＥ：１０」を選択すると、「ＵＰ」キー１２５、「ＤＯＵＮ」キー１２６によって１コマずつ連続的に表示する際の表示時間を指定することができ、「ＢＡＣＫ  ＣＯＬＯＲ：ＢＬＡＣＫ」を選択すると、「ＵＰ」キー１２５、「ＤＯＵＮ」キー１２６によって表示コマの背景色を８色の中から指定することができる。このようにしてインターバル時間等を指定したのち、「Ｅｘｅｃｕｔｅ」キー１２７を押すと、その表示されたインターバル時間等が設定され、ＣＰＵ１６０のＲＡＭ１６０Ａに格納される。
【００５５】
上記のようにして表示コマの編集を行たのち、「ＥＮＤ」にカーソルを合わせて「Ｅｘｅｃｕｔｅ」キー１２７を押すと、表示コマの編集が終了し（ステップ２３４）、一方、「ＦＷＤ」又は「ＲＥＶ」にカーソルを合わせて「Ｅｘｅｃｕｔｅ」キー１２７を押すと、コマ番号を１だけ増加又は減少し（ステップ２３６）、ステップ２１０に戻る。これにより上記と同様にして別の表示コマの編集を実行することができる。
【００５６】
さて、表示コマの編集が終了すると（ステップ２３４）、図６に示すようにフイルム１を１４８．０ｍｍ／秒の高速で逆方向に給送する。この給送中に予めフイルム１の磁気記録層１Ｂから読み取られてＣＰＵ１６０のＲＡＭ１６０Ａに記憶された磁気情報や、前記インデックス画像を用いた編集の内容を示すデータ、表示コマを用いた編集の内容を示すデータ等がフイルム１の磁気記録層１Ｂに再び記録され（ステップ２３８）、この巻戻し終了後フイルムカートリッジ１１０が取り出される（ステップ２４０）。
【００５７】
一方、ステップ２０６において、表示コマを用いた編集を実行しない場合には、ステップ２４４、２４４に進み、上記ステップ２３８、２４０と同様にフイルム１の磁気記録層１Ｂへの書き込み、及びフイルムカートリッジ１１０の取出しが行われる。
尚、図５のフローチャートでは示していないが、上記のようにして編集した編集内容に応じてフイルムの各コマを１コマずつ又は所定のインターバルで連続的にモニタＴＶ１０９に再生してフイルム画像を楽しむことができる。また、一旦編集が行われたフイルムカートリッジ１１０をローディングした場合には、その編集内容に応じてモニタＴＶ１０９に再生することができる。但し、この場合には、少なくとも１コマ再生に先立ってフイルムから磁気情報等を読み取る必要がある。
【００５８】
また、本実施例のフイルムプレーヤには、フイルム１に記録されている光学情報を読み取る光学情報読取部は設けられていないが、フイルム１のパーフォレーション１Ａを光学的に検出するパーフォレーションセンサは設けられている。このパーフォレーションセンサは、各コマに対応する磁気情報の記録再生のタイミングやフイルム画像の読込タイミング等を検出するために使用される。
【００５９】
【発明の効果】
以上説明したように本発明に係る写真フイルムの情報記録再生方法によれば、写真フイルムの画像領域以外に光学的に記録された光学情報をラボで読み取り、その読み取った光学情報を磁気情報としてフイルムの磁気記録層に転記するようにしたため、光学情報を含む全ての情報を磁気情報から得ることができ、フイルムプレーヤから光学情報読取部を削除することができる。これにより、フイルムプレーヤの構成の簡略化及び低コスト化を図ることができるとともに、光学情報読取部を具備するフイルムプレーヤと同等の機能をもたせることができる。尚、ラボでの光学情報の磁気情報への転記にかかるコストアップは、元々光学情報を読み取り且つ磁気情報を記録する必要があるため、発生しない。また、ラボでは高精度で磁気情報及び光学情報の読取り、書込みができ、フイルムプレーヤでの磁気情報の誤読取りが発生しないようにすることができる。
【図面の簡単な説明】
【図１】図１は本発明に係る写真フイルムの情報記録再生方法が適用されるラボの焼付け装置を示す概略構成図である。
【図２】図２は本発明に係る写真フイルムの情報記録再生方法が適用されるフイルムプレーヤを含むシステム全体の概略構成を示す斜視図である。
【図３】図３は図２に示したフイルムプレーヤに適用されるフイルムカートリッジの一例を示す図である。
【図４】図４は図２に示したフイルムプレーヤの内部構成の一実施例を示すブロック図である。
【図５】図５は図２に示したフイルムプレーヤの作用を説明するために用いたフローチャートである。
【図６】図６は図２に示したフイルムプレーヤにおいて搬送されるフイルムの搬送シーケンスの一例を示す図である。
【図７】図７（Ａ）乃至（Ｄ）は図２に示したフイルムプレーヤにおけるＣＣＤバッファ、表示バッファにおける記憶領域及びモニタＴＶの表示画面を示す図である。
【図８】図８はインデックス画像を用いたスキップ設定を説明するために用いた図である。
【図９】図９はインデックス画像を用いたコマの縦横設定を説明するために用いた図である。
【図１０】図１０はインデックス画像を用いた各コマのプリント枚数の設定を説明するために用いた図である。
【図１１】図１１は１コマ再生メニュー設定モード時のモニタ画面の一例を示す図である。
【図１２】図１２は表示コマのプリント枚数等の設定を説明するために用いた図である。
【図１３】図１３は表示コマの環境設定を説明するために用いた図である。
【符号の説明】
１…写真フイルム
１Ａ…パーフォレーション
１Ｂ…磁気記録層
１１…光源装置
１８…ズームレンズ
１９…シャッタ
２０…カラー印画紙
２１…マスク
２７…制御部
３０、１６０…中央処理装置（ＣＰＵ）
３３…入出力インターフェース
３６…情報記録再生部
３６Ａ…再生ヘッド
３６Ｂ…記録ヘッド
３６Ｃ…光学情報読取センサ
３８Ａ、３８Ｂ…パーフォレーションセンサ
１００…フイルムプレーヤ
１０９…モニタＴＶ
１１０…フイルムカートリッジ
１２０…キーパッド
１３５…撮影レンズ
１４２…ＣＣＤラインセンサ
１５１…第１信号処理回路
１５２…第２信号処理回路
１５３…第３信号処理回路
１５４…メモリ制御回路
１７０…フイルム駆動メカ
１８２…磁気記録再生装置
Ｍ１…ＣＣＤバッファ
Ｍ２…表示バッファ
【図１】
0003568131.tif 000004
【図２】
0003568131.tif 000005
【図３】
0003568131.tif 000006
【図４】
0003568131.tif 000007
【図５】
0003568131.tif 000008
【図６】
0003568131.tif 000009
【図７】
0003568131.tif 000010
【図８】
0003568131.tif 000011
【図９】
0003568131.tif 000012
【図１０】
0003568131.tif 000013
【図１１】
0003568131.tif 000014
【図１２】
0003568131.tif 000015
【図１３】
0003568131.tif 000016